(57)【要約】【課題】  機器の配置図の生成を簡易化することのできる機器管理装置、機器管理プログラム及び記録媒体の提供を目的とする。【解決手段】  機器の配置図の編集を支援する機器管理装置であって、前記配置図に対する所定の属性を指定させる属性指定手段と、前記属性指定手段が指定させた前記所定の属性に基づき、前記機器の識別情報を取得する機器情報取得手段と、前記機器情報取得手段により取得された前記機器の識別情報を、前記所定の属性が指定された前記配置図に追加する機器情報追加手段と、前記機器の識別情報が追加された前記配置図を表示させる表示手段とを有することにより上記課題を解決する。【選択図】  図１
2006201865.tif 000002
【特許請求の範囲】
【請求項１】
機器の配置図の編集を支援する機器管理装置であって、
前記配置図に対する所定の属性を指定させる属性指定手段と、
前記属性指定手段が指定させた前記所定の属性に基づき、前記機器の識別情報を取得する機器情報取得手段と、
前記機器情報取得手段により取得された前記機器の識別情報を、前記所定の属性が指定された前記配置図に追加する機器情報追加手段と、
前記機器の識別情報が追加された前記配置図を表示させる表示手段とを有することを特徴とする機器管理装置。
【請求項２】
前記属性指定手段は、前記配置図に対して複数の前記機器が共通に有する属性を指定させることを特徴とする請求項１記載の機器管理装置。
【請求項３】
複数の前記機器が共通に有する属性には、所属する組織を識別する情報若しくはネットワークセグメントのいずれか一方、又はその組み合わせを含むことを特徴とする請求項２記載の機器管理装置。
【請求項４】
前記機器情報取得手段は、前記配置図に対して指定された前記所定の属性に合致する属性を有する機器の識別情報を取得することを特徴とする請求項１乃至３いずれか一項記載の機器管理装置。
【請求項５】
コンピュータに機器の配置図の編集を支援させる機器管理プログラムであって、
前記配置図に対する所定の属性を指定させる属性指定手順と、
前記属性指定手順において指定された前記所定の属性に基づき、前記機器の識別情報を取得する機器情報取得手順と、
前記機器情報取得手順において取得された前記機器の識別情報を、前記所定の属性が指定された前記配置図に追加する機器情報追加手順と、
前記機器の識別情報が追加された前記配置図を表示させる表示手順とを有することを特徴とする機器管理プログラム。
【請求項６】
前記属性指定手順は、前記配置図に対して複数の前記機器が共通に有する属性を指定させることを特徴とする請求項５記載の機器管理プログラム。
【請求項７】
複数の前記機器が共通に有する属性には、所属する組織を識別する情報若しくはネットワークセグメントのいずれか一方、又はその組み合わせを含むことを特徴とする請求項６記載の機器管理プログラム。
【請求項８】
前記機器情報取得手順は、前記配置図に対して指定された前記所定の属性に合致する属性を有する機器の識別情報を取得することを特徴とする請求項５乃至７いずれか一項記載の機器管理プログラム。
【請求項９】
請求項５乃至８いずれか一項記載の機器管理プログラムを記録したコンピュータ読み取り可能な記録媒体。
【発明の詳細な説明】
【技術分野】
【０００１】
本発明は、機器管理装置、機器管理プログラム及び記録媒体に関し、特に機器の配置図の編集を支援する機器管理装置、機器管理プログラム及び記録媒体に関する。
【背景技術】
【０００２】
近年では、オフィス等におけるプリンタ等の機器管理を行うアプリケーションソフトの機能も充実している。例えば、単に機器情報をリストで表示するのみならず、機器のアイコンが配置されたフロアマップを表示させることで、ユーザにとって視覚的且つ直感的に分かりやすいユーザーインターフェースを実現しているものもある。
【特許文献１】特開２００１−３４５６１号公報
【特許文献２】特開２００３−２１６３９６号公報
【発明の開示】
【発明が解決しようとする課題】
【０００３】
しかしながら、視覚的・直感的に分かりやすいとはいえ、従来、フロアマップの編集機能や表示機能については必ずしも使い勝手が良いとは言えなかった。例えば、フロアマップに機器のアイコンを配置するには、多大な機器情報の中からフロアマップに追加したい機器を見つけ、当該機器のアイコンを手作業でフロアマップに配置するといった作業を機器ごとに行う必要があった。したがって、オフィス内の機器構成によってはフロアマップの作成や編集に多くの手間や工数が必要とされていた。
【０００４】
本発明は、上記の点に鑑みてなされたものであって、機器の配置図の生成を簡易化することのできる機器管理装置、機器管理プログラム及び記録媒体の提供を目的とする。
【課題を解決するための手段】
【０００５】
そこで上記課題を解決するため、本発明は、請求項１に記載されるように、器の配置図の編集を支援する機器管理装置であって、前記配置図に対する所定の属性を指定させる属性指定手段と、前記属性指定手段が指定させた前記所定の属性に基づき、前記機器の識別情報を取得する機器情報取得手段と、前記機器情報取得手段により取得された前記機器の識別情報を、前記所定の属性が指定された前記配置図に追加する機器情報追加手段と、前記機器の識別情報が追加された前記配置図を表示させる表示手段とを有することを特徴とする。
【０００６】
このような機器管理装置では、配置図に対する所定の属性を指定させることで、当該配置図に機器の識別情報（例えば、機器アイコン等）を自動的に追加することができるため、機器の配置図の生成を簡易化することができる。
【０００７】
また、上記課題を解決するため、本発明は、コンピュータを上記機器管理装置として機能させるための機器管理プログラム、又は前記機器管理プログラムを記録した記録媒体としてもよい。
【発明の効果】
【０００８】
本発明によれば、機器の配置図の生成を簡易化することのできる機器管理装置、機器管理プログラム及び記録媒体を提供することができる。
【発明を実施するための最良の形態】
【０００９】
以下、図面に基づいて本発明の実施の形態を説明する。図１は、本発明の実施の形態における機器管理装置の機能構成例を示す図である。図１に示されるように、本実施の形態における機器管理装置１０は、フロア内における各種の機器の２次元配置図（以下「デバイスマップ」という。）を表示するＷｅｂページ（以下「デバイスマップページ」という。）の提供や、デバイスマップの編集の支援を行う装置であり、ｈｔｔｐｄ１１、Ｗｅｂページ生成部１２、フロントエンド部１３、機器管理部１４、及びマップ管理部１５等を有している。
【００１０】
ｈｔｔｐｄ１１はＷｅｂサーバとして機能するデーモンプログラムであり、Ｗｅｂブラウザ２０から要求された機能を呼び出し、その処理結果が示されたＷｅｂページをＷｅｂブラウザ２０に返信する。したがって、ユーザは、Ｗｅｂブラウザ２０が実装されたライアント装置（例えば、ＰＣ（Personal Computer）、ＰＤＡ、携帯電話、又は画像取扱装置（プリンタ、コピー機等を含む）の機器等）を介して、機器管理装置１０の機能を利用することができる。
【００１１】
Ｗｅｂページ生成部１２は、ｈｔｔｐｄ１１からの要求に応じたＷｅｂページを生成するプログラムモジュールである。例えば、Ｗｅｂページ生成部１２は、デバイスマップページを生成する。
【００１２】
フロントエンド部１３は、Ｗｅｂページ生成部１２からの要求に応じ、Ｗｅｂページの生成に必要なデータをＷｅｂページ生成部１２に提供するプログラムモジュールである。例えば、フロントエンド部１３は、デバイスマップページの生成に必要な情報を機器管理部１４やマップ管理部１５より取得し、Ｗｅｂページ生成部１２に提供する。
【００１３】
機器管理部１４は、フロア内の各機器（例えば、プリンタ、コピー機、ＦＡＸ、スキャナ、又はＰＣ等）の機器情報を管理するプログラムモジュールである。例えば、機器管理部１４は、機器情報記憶部１４１に登録されている機器情報をフロントエンド部１３からの要求に応じて提供する。
【００１４】
マップ情報管理部１５は、デバイスマップに関する情報（以下「マップ情報」という。）管理するプログラムモジュールである。例えば、マップ情報管理部１５は、マップ情報記憶部１５１に登録されているマップ情報をフロントエンド部１３からの要求に応じて提供する。
【００１５】
図２は、本発明の実施の形態における機器管理装置のハードウェア構成例を示す図である。図２の機器管理装置１０は、それぞれバスBで相互に接続されているドライブ装置１００と、補助記憶装置１０２と、メモリ装置１０３と、演算処理装置１０４と、インタフェース装置１０５とを有するように構成される。
【００１６】
機器管理装置１０での処理を実現するプログラムは、ＣＤ−ＲＯＭ等の記録媒体１０１によって提供される。プログラムが記録された記録媒体１０１がドライブ装置１００にセットされると、プログラムが記録媒体１０１からドライブ装置１００を介して補助記憶装置１０２にインストールされる。
【００１７】
補助記憶装置１０２は、インストールされたプログラムを格納すると共に、必要なファイルやデータ等を格納する。メモリ装置１０３は、プログラムの起動指示があった場合に、補助記憶装置１０２からプログラムを読み出して格納する。演算処理装置１０４は、メモリ装置１０３に格納されたプログラムに従って機器管理装置１０に係る機能を実行する。インタフェース装置１０５はネットワークに接続するためのインタフェースとして用いられる。
【００１８】
以下、図１の機器管理装置１０の処理手順について説明する。図３は、デバイスマップへの機器アイコンの追加処理を説明するためのシーケンス図である。本実施の形態では、デバイスマップ上における機器の識別情報として機器のアイコン（機器アイコン）を用いた場合を例として説明する。但し、機器の識別情報としは、必ずしも機器アイコンである必要はなく、例えば、機器名やＩＰアドレス等、各機器を識別できる情報であればよい。
【００１９】
ステップＳ１０１において、ユーザ（例えば、ネットワーク管理者）は、Ｗｅｂブラウザ２０に表示されている初期状態のデバイスマップページに対して、当該デバイスマップに係るフロアが関連する組織を識別する情報（例えば、グループ名又は部署名等）、若しくはネットワークセグメントのいずれか一つ、又はこれらを組み合わせた情報を入力し、デバイスマップの更新を指示する。例えば、グループ名であれば「グループＡ」、部署名であれば「ＸＸＸ部」、ネットワークセグメントであれば「１２３．１２３．１２３．０」といった具合に入力される。また、これらを組み合わせた情報とは、これらがそれぞれ入力させることをいう。なお、ここで入力された情報を、以下「マップ属性情報」という。
【００２０】
図４は、初期状態のデバイスマップページにおけるデバイスマップの表示例を示す図である。図４に示されるように、初期状態のデバイスマップ２１ａには、フロアのレイアウトは表示されているが、機器アイコンは配置されていない。なお、デバイスマップ２１ａは、ステップＳ１０１以前の操作により生成されたものである。
【００２１】
ステップＳ１０１に続いてステップＳ１０２に進み、Ｗｅｂブラウザ２０は、マップ属性情報と共にデバイスマップの更新要求を機器管理装置１０のｈｔｔｐｄ１１に送信する。ステップＳ１０２に続いてステップＳ１０３に進み、ｈｔｔｐｄ１１は、Ｗｅｂブラウザ２０からの要求に応じ、Ｗｅｂページ生成部１２に対し、マップ属性情報を引数として機器アイコンが追加されたデバイスマップの生成を要求する。ステップＳ１０３に続いてステップＳ１０４に進み、Ｗｅｂページ生成部１２は、フロントエンド部１３に対してマップ属性情報の保存を要求する。
【００２２】
ステップＳ１０４に続いてステップＳ１０５に進み、フロントエンド部１３は、受け取ったマップ属性情報を、マップ情報記憶部１５１に保存されているマップ情報のうち現在操作対象とされているデバイスマップに係るマップ情報に追加する。
【００２３】
図５は、マップ情報記憶部におけるマップ情報の構成例を示す図である。図５に示されるように、マップ情報は、「マップ名」、「配置機器情報」、「背景画像」、「組織情報」、及び「ネットワークセグメント」等の項目より構成されている。「マップ名」は、各デバイスマップに付けられた名前である。「配置機器情報」は、デバイスマップに配置されている機器のＩＰアドレス及び機器アイコンの位置情報等である。「背景画像」は、デバイスマップの背景の画像、すなわちフロアのレイアウトを示す画像である。「組織情報」は、当該フロアが関連するグループのグループ名又は部署の部署名等である。「ネットワークセグメント」は、当該フロアが関連するネットワークセグメントである。したがって、ステップＳ１０５においては、「組織情報」若しくは「ネットワークセグメント」のいずれか一方、又は双方の値が追加される。また「配置機器情報」については、この段階では値は設定されていない。
【００２４】
なお、マップ情報のメンテナンス性を考慮すれば、ＸＭＬ形式のようなタグを用いた構造化記述言語によってマップ情報を構成することが望ましい。ＸＭＬ形式の場合、マップ属性情報はマップ情報という親要素の子要素として追加されることになる。
【００２５】
ステップＳ１０６に進み、Ｗｅｂページ生成部１２は、指定されたマップ属性情報に対応する機器の機器情報の取得をフロントエンド部１３に要求する。ステップＳ１０６に続いてステップＳ１０７に進み、フロントエンド部１３が、機器管理部１４に対して、マップ属性情報に対応する機器情報の検索を要求すると、機器管理部１４は、当該機器情報を機器情報記憶部１４１より検索し、検索結果をフロントエンド部１３に対して出力する（Ｓ１０８）。
【００２６】
図６は、機器情報記憶部における機器情報の構成例を示す図である。図６に示されるように、機器情報は、「機器名」、「設置場所」、「機器アイコン」、「ＩＰアドレス」、及び「組織情報」等より構成されている。「機器名」は、各機器に付けられた名前である。「設置場所」は、機器が設置されている場所を識別するための情報（例えば柱番号等）である。「機器アイコン」は、機器アイコンのバイナリデータである。「組織情報」は、機器が属するグループのグループ名又は部署の部署名である。
【００２７】
すなわち、マップ属性情報としてグループ名や部署名が指定されている場合は、当該グループや当該部署に属する機器の機器情報が検索される。また、マップ属性情報としネットワークセグメントが指定されている場合は、機器のＩＰアドレスに基づいて当該ネットワークセグメントに属する機器の機器情報が検索される。
【００２８】
ステップＳ１０８に続いてステップＳ１０９に進み、フロントエンド部１３は、機器管理部１４より受け取った機器情報をＷｅｂページ生成部１２に出力する。Ｗｅｂページ生成部１２は、受け取った機器情報に含まれている機器アイコンを追加したデバイスマップページを生成し（Ｓ１１０）、生成されたデバイスマップページをｈｔｔｐｄ１１に出力する（Ｓ１１１）。なお、機器アイコンを追加したデバイスマップページの生成に際してマップ管理部１５からマップ情報を取得する必要があるが、これはマップ属性情報を追加する際（Ｓ１０４、Ｓ１０５）に取得しておいてもよいし、機器管理部１４から機器情報を受け取った後に取得してもよい。
【００２９】
機器アイコンが追加されたデバイスマップページは、ｈｔｔｐｄ１１によってＷｅｂブラウザ２０に送信され、Ｗｅｂブラウザ２０によって表示される。
【００３０】
図７は、機器アイコンが追加されたデバイスマップの表示例を示す図である。図７に示されるデバイスマップページ２１ｂには、機器Ａ、機器Ｂ、機器Ｃの機器アイコンが、左上に並んで配置されている。但し、必ずしも左上である必要はなく、左右上下や中央等、カスタマイズを可能としてもよい。
【００３１】
その後、ユーザは、機器アイコンが追加されたデバイスマップ２１ｂにおいて、図８に示されるように実際の配置位置に機器アイコンをドラッグ等によって移動させることにより、実際のフロアに対応したデバイスマップを作成することができる。
【００３２】
図８は、機器アイコンを移動させる様子を示す図である。図８のデバイスマップ２１ｂにおいては、機器Ａの機器アイコンが左下に、機器Ｂの機器アイコンが右下に、機器Ｃの機器アイコンが右上にそれぞれ移動された様子が示されている。
【００３３】
上述したように、本実施の形態における機器管理装置１０によれば、初期状態のデバイスマップ２１ａに対して、当該フロアが関連し、複数の機器について共通の属性である情報（グループ名、部署名、又はネットワークセグメント等）を指定することで、当該フロアに配置されている可能性の高い機器の機器アイコンが自動的に追加される。したがって、ユーザは、自動的に表示された機器アイコンを移動させるだけでよく、簡易な作業でデバイスマップを作成することができる。
【００３４】
なお、上述のマップ管理部１５や機器管理部１４については、必ずしも機器管理装置１０内に実装されている必要はなく、Ｗｅｂサービスとしてネットワーク上に分散させてもよい。この場合、フロントエンド部１３との通信プロトコルにはＳＯＡＰ（Simple Object Access Protocol）を用いてもよい。
【００３５】
本発明は係る特定の実施形態に限定されるものではなく、特許請求の範囲に記載された本発明の要旨の範囲内において、種々の変形・変更が可能である。
【図面の簡単な説明】
【００３６】
【図１】本発明の実施の形態における機器管理装置の機能構成例を示す図である。
【図２】本発明の実施の形態における機器管理装置のハードウェア構成例を示す図である。
【図３】デバイスマップへの機器アイコンの追加処理を説明するためのシーケンス図である。
【図４】機器アイコンが配置されていないデバイスマップの表示例を示す図である。
【図５】マップ情報記憶部におけるマップ情報の構成例を示す図である。
【図６】機器情報記憶部における機器情報の構成例を示す図である。
【図７】機器アイコンが追加されたデバイスマップの表示例を示す図である。
【図８】機器アイコンを移動させる様子を示す図である。
【符号の説明】
【００３７】
１０          機器管理装置
１１          ｈｔｔｐｄ
１２          Ｗｅｂページ生成部
１３          フロントエンド部
１４          機器管理部
１５          マップ管理部
２０          Ｗｅｂブラウザ
１００        ドライブ装置
１０１        記録媒体
１０２        補助記憶装置
１０３        メモリ装置
１０４        演算処理装置
１０５        インタフェース装置
Ｂ    バス
【図１】
2006201865.tif 000003
【図２】
2006201865.tif 000004
【図３】
2006201865.tif 000005
【図４】
2006201865.tif 000006
【図５】
2006201865.tif 000007
【図６】
2006201865.tif 000008
【図７】
2006201865.tif 000009
【図８】
2006201865.tif 000010